(57)【特許請求の範囲】
【請求項１】
折れ線を介して前面板（７）の上下端部に天板（１２）と底板（１７）、左右端部に側面板（９、１０）をそれぞれ連設し、側面板（１０）の端部に後面板（８）を連設してなるシートブランク（２）を折り曲げて中空箱状に形成される展示包装体（１）において、
後面板（８）の中央上端部に折曲自在な延長片（２２）を介して吊り下げ片（２４）が連設され、
天板（１２）の中央部に吊り下げ片（２４）が通る孔（１２ａ）が設けられているとともに、天板（１２）の上端部両側に切れ目（１４ａ、１４ａ）を縁部に有するフラップ（１４、１４）が折れ線を介して連設され、
底板（１７）の下端部に切れ目（１９ａ、１９ａ）を両縁部に有するフラップ（１９）が折れ線を介して連設され、
両側面板（９、１０）の上下端部に折れ線を介して係合片（２６、２７、２８、２９）が連設されており、
各面板を各折れ線で折り曲げてシートブランク（２）を箱状に組み立てた状態で、
天板（１２）の裏面から差し入れた吊り下げ片（２４）が孔（１２ａ）を通して天板中央部から上方へ立ち上り、
前面板（７）と後面板（８）の間で内方へ折り曲げられた上部の係合片（２６、２８）が、後面板（８）との接合部間に装入された天板（１２）のフラップ（１４、１４）の切れ目（１４ａ、１４ａ）に係合し、下部の係合片（２７、２９）が後面板（８）との接合部間に装入された底板（１７）のフラップ（１９）の切れ目（１９ａ、１９ａ）に係合するように構成されたことを特徴とする展示包装体。
【発明の詳細な説明】
【０００１】
【産業上の利用分野】
本発明は、プラスチック製等のシートブランクを折り曲げて組み立てられる包装体に係り、特に物品を収納する中空体に吊り下げ孔を有する吊り下げ片を連設し、これをフック等に掛止して展示や保管ができるようにした展示包装体に関する。
【０００２】
【従来の技術】
この種従来の吊り下げ式の展示包装体としては、図４に示す、中空本体３１の側面板３１ａに吊り下げ孔３１ｂを有する吊り下げ片３１ｃを連設し、この吊り下げ片３１ｃをフック３０に掛止して展示できるように形成したものや、図５に示す、中空本体３２の対向する二つの側面板３２ａ，３２ｂに適宜長さの吊り下げ片３２ｃを連設し、これらを中空本体３２上に折り曲げて天板３２ｄを形成すると共に天板３２ｄ上で重ね合わせてフック３０に吊り下げられるように形成したものがある。
【０００３】
【発明が解決しようとする課題】
前者においては、図４（Ｂ）に示すように、店頭でフック３０に掛止したときに本体３１が傾斜して吊り下がるため、透視される収納物の外観や包装体表面に表示される説明等が見難く、十分な店頭効果が得られないという問題があった。また、後者においては、図５（Ｂ）に示すように、本体３２を傾斜させずに吊り下げることができるものの、内容物の重量が大きくなるにつれて側面板３２ｅと天板３２ｄが変形し、これらの間に隙間が生じやすく、ここからゴミが侵入して商品価値を低下せしめるという問題があった。
【０００４】
本発明は、従来の技術の有するこのような問題点に鑑みてなされたものであり、その目的とするところは、包装体をフックに吊り下げたときに傾斜することなく垂下させることができ、収納物の重量が大きくても所期の封止状態を維持して収納物の保護性に優れた展示包装体を提供することにある。
【０００５】
【課題を解決するための手段】
上記課題を解決するため本発明は、折れ線を介して前面板の上下端部に天板と底板、左右端部に側面板をそれぞれ連設し、側面板の端部に後面板を連設してなるシートブランクを折り曲げて中空箱状に形成される展示包装体において、後面板の中央上端部に折曲自在な延長片を介して吊り下げ片が連設され、天板の中央部に吊り下げ片が通る孔が設けられているとともに、天板の上端部両側に切れ目を縁部に有するフラップが折れ線を介して連設され、底板の下端部に切れ目を両縁部に有するフラップが折れ線を介して連設され、両側面板の上下端部に折れ線を介して係合片が連設されており、各面板を各折れ線で折り曲げてシートブランクを箱状に組み立てた状態で、天板の裏面から差し入れた吊り下げ片が孔を通して天板中央部から上方へ立ち上り、前面板と後面板の間で内方へ折り曲げられた上部の係合片が、後面板との接合部間に装入された天板のフラップの切れ目に係合し、下部の係合片が後面板との接合部間に装入された底板のフラップの切れ目に係合するように構成されたことを特徴とする。
【０００６】
【作用】
フック等に吊り下げたときに、天板及び底面板が水平に保たれたまま吊り下がり、外部から透視される収納物の外観や表面の表示等が見やすくなる。また、吊り下げ片が側壁に連設し、天板の孔に挿通させてあるので、収納物の重みによる天板の開封が防止される。
【０００７】
【実施例】
以下、本発明の好適な一実施例を図面を参照して説明する。
図１は本発明の展示包装体の一例を示す外観図、図２は本例の展示包装体を構成するシートブランクの平面図、図３は本例の展示包装体をフックに吊り下げたときの側面図である。
【０００８】
図において、本例の展示包装体１は、透明又は着色された半透明のプラスックシートを打ち抜いて形成されたシートブランク２を折り込んで組み立てられ、周側壁を構成する矩形の各側板により収納中空部を箱状に画成して形成してある。
【０００９】
シートブランク２は、略矩形板に平行に外折れ線３，４，５，６を設け、外折れ線３と４の間を包装体１の前面板７とし、外折れ線５と６の間を後面板８とし、一側端部から外折れ線３の間と外折れ線４と５の間をそれぞれ側面板９，１０とし、外折れ線６から他側端部の間を小幅の糊代片１１として形成してある。
【００１０】
前面板７の上端部には、天板１２を外折れ線１３を介して連設し、この天板１２の上端部両側には、それぞれ水平に延びる切れ目１４ａ，１４ａを縁部に有する略々台形状のフラップ１４，１４を外折れ線１５，１５を介して連設してある。天板１２の中央部には、後述の吊り下げ片２４が挿通可能な幅及び長さを有する孔１２ａを水平に延ばして形成してあり、また、フラップ１４と１４の間には、吊り下げ片２４が挿通可能なように吊り下げ片２４の幅よりも若干広い幅で切り欠かれた切欠部１６が設けてある。
【００１１】
前面板７の下端部には、底板１７を外折れ線１８，１８を介して連設し、この底板１７の下端部には、水平に延びる切れ目１９ａ，１９ａを両縁部に有するフラップ１９を外折れ線２０を介して連設してある。外折れ線１８，１８の間には、底板１７の折り曲げを容易に行えるようにするための切り込み２１が設けてある。
【００１２】
後面板８の上端中央部には、上記天板１２の上端部と孔１２ａとの間の長さ（Ｄ）と略同長さを有する延長片２２を外折れ線２３を介して連接し、さらに延長片２２の上端部に、先端に吊り下げ孔２４ａが形成された適宜長さの吊り下げ片２４を内折れ線２５を介して連設してある。
【００１３】
また、側面板９，１０の上下端部には、係合片２６，２７，２８，２９が各々折れ線３０，３１，３２，３３を介して連設してある。
【００１４】
シートブランク２の寸法は収納物の大きさ等に応じて適宜選定し得、天板１２を後面板８に設けると共に吊り下げ片２４を前面板７に設けるように形成してもよい。また、図示されていないが、前面板７や後面板８、或いは吊り下げ片２４の表面には、収納物を包装体外部から透視できる程度であって、収納物の説明や装飾のための模様等が適宜の方法により直接印刷し、又は印刷物を貼着等することにより表示されているものとする。
【００１５】
上記形状のシートブランク２を折り込むときは、先ず、各折れ線を各々折れ方向に折り曲げると共に、糊代片１１の片面に接着剤を塗布し、或いは両面テープを貼着し、これを後面板８の側端部に接着して四角形の筒体を形成し、次に、係合片２７，２９を筒体内方へ折り曲げ、これに重ねて底板１７を内方へ折り曲げ、後面板８との接合部間にフラップ１９を筒体内へ装入すると共に、その切れ目１９ａ，１９ａを係合片２７，２９に係合させて閉じる。
【００１６】
この状態で商品等を筒内へ収納した後、係合片２６，２８及び延長片２２を筒体内方へ折り曲げ、吊り下げ片２４の先端部を天板１２の裏面側から孔１２ａに差し入れて表面側に貫通させながら、これらに重ねて天板１２を内方へ折り曲げ、後面板８との接合部間にフラップ１４，１４を筒体内へ装入すると共に、吊り下げ片２４を天板１２上方に略垂直に立ち上げ、切れ目１４ａ，１４ａに係合片２６，２８に係合させることによって筒体を閉塞し、箱状の包装体１を得る。
【００１７】
本例の展示包装体１によれば、封止状態で吊り下げ片２４が天板１２の孔１２ａより、天板１２の裏側から表側に挿通すると共に、これを天板１２上に略垂直に立ち上がるように成形されるので、図３に示す如く、天板１２及び底面板１７を水平に保ったままでフック３０に吊り下がり、外部から透視される収納物の外観や表面の表示等を見やすくして展示や保管をすることができる。
また、収納物が重量であったとしても、収納物の重みは側壁で支持するので、天板１２が開いたり隙間が生じたりすることはなく、所期の封止状態を維持して内部へのゴミ等の侵入を防止し、天板１２の周囲にシールやテープ等の貼着部材を貼る手間も不要となる。
【００１８】
なお、本発明の展示包装体の形状は本例のものに限定されず、他の多角形状のものや円柱体等の曲面形状のもの等、収納物に応じた適宜な形状で形成することができる。この場合、天板とこれに挿通する吊り下げ片とは、本例のように、収納中空部を挟んだ対向する位置の周側壁にそれぞれ連設することがより好ましい。
また、吊り下げ片を挿通するために天板に形成する孔は上記の如く天板中央部に設ける他、商品等を収納したときの包装体重心の鉛直線上に設けてもよい。
【００１９】
【発明の効果】
本発明の展示包装体によれば、天板及び底面板を水平に保ったままでフックに吊り下がるので、外部から透視される収納物の外観や包装体表面の表示等を見やすくして展示や保管を行え、店頭効果が高まる。
また、収納物の重みによって天板が開いたり隙間が生じたりすることはなく、所期の封止状態を維持して内部へのゴミ等の侵入を防止することができる。
【図面の簡単な説明】
【図１】本発明の展示包装体の一例を示す外観図である。
【図２】図１の展示包装体を構成するシートブランクの平面図である。
【図３】図１の展示包装体をフックに吊り下げたときの側面図である。
【図４】従来の展示包装体を示す図であり、（Ａ）は外観図、（Ｂ）はフックに吊り下げたときの側面図である。
【図５】従来の展示包装体の他の例を示す図であり、（Ａ）は外観図、（Ｂ）はフックに吊り下げたときの側面図である。
【符号の説明】
１    展示包装体
２    シートブランク
７      前面板
８    後面板
９，１０      側面板
１１    糊代片
１２    天板
１７    底板
２２    延長片
２４    吊り下げ片
【図１】
0003616163.tif 000002
【図２】
0003616163.tif 000003
【図３】
0003616163.tif 000004
【図４】
0003616163.tif 000005
【図５】
0003616163.tif 000006